Podtech/llm-jp-corpus-v4-ja_patent huggingface dataset:
(57)【要約】【課題】    衣服に付着したゴミ、ホコリ、ペットの毛等は、手指やブラシまたはガムテープの切れ端等で粘着させて除去しているが、手軽に簡便に使用できるようにすると供に再使用できるようにする。【解決手段】  粘着クリーナー本体１は携帯に便利な様に名刺の大きさ程度にし、カバー紙２を開いて粘着面３で付着物を除去する。カバー紙２を剥しやすくするため角をカット状５にする。粘着面３に付着した付着物を洗い流し再使用を可能にするためゴム系粘着剤を有した両面テープを使用する。簡便に使用できるように、本体の台紙１裏面に取っ手部７を設け使用時に弓状にすることにより手指を数本挿入できるようにする。【選択図】図１
0003133751.tif 000002
【実用新案登録請求の範囲】
【請求項１】
洋服、和服、礼服、衣類等に付着したゴミ、ホコリ、ペットの毛等を簡便に取り去るために低粘着面と高粘着面を有したゴム系粘着剤を含有した両面テープの低粘着面を台紙に貼り付け、高粘着面を保護するため台紙にカバー紙を取り付ける。異物付着後拾数回水洗いを繰り返しても粘着性能が劣化しにくく、再使用が可能な両面テープを利用した携帯用ゴム系粘着クリーナー。
【請求項２】
台紙裏面に取っ手部を設定し使用時に弓状にすることで取っ手部に手指を数本差し入れ付着物を簡便に取りやすくした請求項１記載の両面テープを利用した携帯用ゴム系粘着クリーナー。
【考案の詳細な説明】
【技術分野】
【０００１】  本考案は、衣服に付着するゴミ、ホコリ、ペットの毛等を簡便に除去する粘着クリーナーに関する。
【背景技術】
【０００２】  従来、衣服等に付着したゴミ、ホコリ、ペットの毛等は小さい程手指で取りにくく、ブラシやガムテープの切れ端等で粘着し除去することが簡便な方法であった。
【考案の開示】
【考案が解決しようとする課題】
【０００３】  携帯にも便利な様に名刺の大きさ程度にし粘着面に異物付着後使い捨てにならない様に、水洗い可能なゴム系粘着剤を有した、両面テープを使用するのが本考案の目的である。
【課題を解決するための手段】
【０００４】  本考案は、付着物の付いた粘着面を再使用するため、水洗い可能な粘着剤を有している。
【考案の効果】
【０００５】  上述の様に、本考案の両面テープを利用した携帯用ゴム系粘着クリーナーは、手軽に簡便に使用でき使用後水洗いが可能なためその都度使い捨てしないため環境に優しいメリットがある。本体の台紙裏面に取っ手部を設定し、本体を弓状にすることで取っ手部に手指を２本〜３本挿入でき、使い勝手をよくした。
【考案の実施するための最良の形態】
【０００６】  以下、本考案の実施形態を図１〜図３に基づいて説明する。
【０００７】  図１において、１は粘着クリーナーの本体で、２は本体と一体に形成されているカバー紙、３は粘着面を有している両面テープである。
【０００８】  図１においては、４は台紙で、５は剥しやすくするためにカバー紙の角をカット状にする。
【図面の簡単な説明】
【０００９】
【図１】  本考案の実施形態を示す両面テープを利用した携帯用ゴム系粘着クリーナーの展開図
【図２】  本考案の両面テープ及び台紙のＡ−Ａ断面図
【図３】  本考案の台紙裏面の展開図
【符号の説明】
【００１０】  １  粘着クリーナー本体
２  カバー紙
３  粘着面
４  粘着クリーナー本体の台紙
５  カバー紙の角のカット部
６  台紙側低粘着面
７  本体の台紙裏面の取っ手部
【図１】
0003133751.tif 000003
【図２】
0003133751.tif 000004
【図３】
0003133751.tif 000005
【手続補正書】
【提出日】平成19年4月27日(2007.4.27)
【手続補正１】
【補正対象書類名】実用新案登録請求の範囲
【補正対象項目名】請求項１
【補正方法】変更
【補正の内容】
【請求項１】
洋服、和服、礼服、衣類等に付着したゴミ、ホコリ、ペットの毛等を簡便に取り去るために低粘着面と高粘着面を有したゴム系粘着剤を含有した両面テープの使用において、（１）低粘着面を台紙に貼り付ける、（２）高粘着面を保護するため台紙にカバー紙を取り付ける、（３）異物付着後拾数回水洗いを繰り返しても粘着性能が老化しにくい、以上からなる再使用が可能な両面テープを利用した携帯用ゴム系粘着クリーナー。
(57)【要約】      （修正有）【課題】おしゃれな浅いポケットにも収納できる筆記具を提供する。【解決手段】筆記具本体１とペン先３を出入操作する操作部２とからなり、全体の長さを１０ｃｍ程とし、筆記具本体１と操作部２とを略同じ長さ又は筆記具本体１を操作部２より僅かに短くしてあり、操作部２にクリップ６を設け、さらにストラップ７を設けてある。【選択図】図１
0003133398.tif 000002
【実用新案登録請求の範囲】
【請求項１】
筆記具本体とペン先を出入操作する操作部とからなり、全体の長さを１０ｃｍ程とし、筆記具本体と操作部とを略同じ長さ又は筆記具本体を操作部より僅かに短くしてあり、操作部にクリップを設け、さらにストラップを設けてあることを特徴とする筆記具。
【請求項２】
操作部の上端に浸透式印を設け、キャップを設けてある上記請求項１に記載の筆記具。
【考案の詳細な説明】
【技術分野】
【０００１】
本考案は、小型の筆記具に関する。
【背景技術】
【０００２】
例えば、一般的なボールペンの場合、ペン先を出入するのにノック式と操作部を回動する回動式とがあり、何れの場合も人が手にして書く操作をするのに程よい長さにしてあり、概略１４ｃｍである。また、この一般的なボールペンにあっては操作部にクリップを設けて、衣服のポケットにかけることができる。
【考案の開示】
【考案が解決しようとする課題】
【０００３】
この長さが１４ｃｍほどのボールペンの場合、普通のポケットに収納できるが、深さの浅いおしゃれなポケットには収納できないという課題がある。
本考案は、上記課題に鑑み、おしゃれな浅いポケットにも収納できる筆記具を提供するものである。
【課題を解決するための手段】
【０００４】
そのために、本考案筆記具は、筆記具本体とペン先を出入操作する操作部とからなり、全体の長さを１０ｃｍ程とし、筆記具本体と操作部とを略同じ長さ又は筆記具本体を操作部より僅かに短くしてあり、操作部にクリップを設け、さらにストラップを設けてあることを特徴とする。
操作部の上端に浸透式印を設け、キャップを設けてあるとよい。
【考案の効果】
【０００５】
本考案の筆記具は、筆記具本体とペン先を出入操作する操作部とからなり、全体の長さを１０ｃｍ程とし、筆記具本体と操作部とを略同じ長さ又は筆記具本体を操作部より僅かに短くしてあり、操作部にクリップを設け、さらにストラップを設けてあるから、浅いおしゃれなポケットにもかけることができ、またストラップによりぶら下げることができるとともにストラップに種々の好みのアクセサリーを装着できる効果がある。
また、操作部の上端に浸透式印を設け、キャップを設けてあるから、必要なときに印鑑を使用できる利点もある。
【考案を実施するための最良の形態】
【０００６】
図示した好ましい実施例により本考案の詳細を説明する。
図面には実施例としてボールペンを示してあるが、本考案はボールペンに限られることなく、他の筆記具であってもよい。図中符号１が筆記具本体であり、符号２がペン先３の出入を回動操作する操作部である。この操作部２の上端には浸透式印４を設けてあり、キャップ５も設けてある。本考案では、浸透式印４も含めての長さを１０ｃｍ程にして短くしてある。そして、筆記具本体１と操作部２とを略同じ長さにしてあるか又は筆記具本体１を操作部２より僅かに短くしてある。
【０００７】
また、本考案では操作部２にクリップ６を設けてあり、さらに、ストラップ７を設けてある。このクリップ６を設けてあるから、筆記具をポケットにかけることができ、特に筆記具全体の長さを１０ｃｍ程として短くしてあるから、おしゃれな深さの浅いポケットにもかけることができる。また、ストラップを設けてあるから、筆記具をぶら下げることもでき、さらにはストラップに種々の好みのアクセサリーを付けることもできる。
【図面の簡単な説明】
【０００８】
【図１】本考案筆記具を示す斜視図。
【図２】浸透印のキャップを外した状態の本考案筆記具の斜視図。
【符号の説明】
【０００９】
１  筆記具本体
２  操作部
３  ペン先
４  浸透式印
５  キャップ
６  クリップ
７  ストラップ
【図１】
0003133398.tif 000003
【図２】
0003133398.tif 000004
(57)【要約】      （修正有）【課題】本案件は既存の無線ＬＡＮ機器と異なり空間に突起せず、配線経路、美観上の問題による配置の制約を受けないものである。【解決手段】図１に示すように、１の無線ＬＡＮ回路をＯＡフロア（フリーアクセスフロア）システムに組み込む。組み込まれる無線ＬＡＮ回路には、ＵＴＰケーブルに接続するコネクタ部２と、外部電源を接続するコネクタ部３を有する。また、６のスイッチを切り替えることにより３の電源コネクタと、２のＵＴＰケーブルによる給電との何れかを選択することができ、４の電源部より５の無線部に電源を供給する。【選択図】図１
0003133396.tif 000002
【実用新案登録請求の範囲】
【請求項１】
無線設備を配線容易なＯＡフロア（フリーアクセスフロア）システムに、ＵＴＰケーブルを通じて電力を供給する機能を有する無線ＬＡＮ回路を組みことにより、床面（下部）より上部に向かい電波を照射させる機器。
【考案の詳細な説明】
【技術分野】
【０００１】    本考案は、無線ＬＡＮ機器に関する。
【背景技術】
【０００２】    既存の無線ＬＡＮ機器は空間に突起し、設置スペースを必要とする為、任意の位置へ設置出来ない。
【考案の開示】
【考案が解決しようとする課題】
【０００３】      既存の無線ＬＡＮ機器の設置において、美観、配線方法、設置スペース、安全上の問題等により設置場所が制約されている。
【課題を解決するための手段】
【０００４】本考案は、無線設備を配線容易なＯＡフロア（フリーアクセスフロア）システムに、ＵＴＰケーブルを通じて電力を供給する機能を有する無線ＬＡＮ回路を組みことにより、床面（下部）より上部に向かい電波を照射させる。これにより、上記課題を解決するものである。
【考案を実施するための最良の形態】
【０００５】    図１に示すように、１の無線ＬＡＮ回路をＯＡフロア（フリーアクセスフロア）システムに組み込む。組み込まれる無線ＬＡＮ回路には、ＵＴＰケーブルに接続するコネクタ部２と、外部電源を接続するコネクタ部３を有する。また、６のスイッチを切り替えることにより３の電源コネクタと、２のＵＴＰケーブルによる給電との何れかを選択することができ、４の電源部より５の無線部に電源を供給する。【０００６】    図２に示すように、１の無線ＬＡＮ回路を組み込んだＯＡフロア（フリーアクセスフロア）システム７を床部に設置し８の空間に電波を照射する。
【考案の効果】
【０００７】  本考案は、ＯＡフロア（フリーアクセスフロア）に無線ＬＡＮ回路を組み込むことにより、配線経路、美観を確保するとともに、室内、床下の設置スペースをも必要とせず、室内の任意の位置へ設置が可能である。又、室内に突起せず人体への安全が向上する。
【図面の簡単な説明】
【０００８】
【図１】本考案に係る床面無線ＬＡＮユニットの構成図である。
【図２】本考案に係る電波照射図である。
【符号の説明】
【０００９】１・・・無線ＬＡＮ回路
２・・・ＵＴＰケーブルに接続するコネクタ部
３・・・外部電源を接続するコネクタ部
４・・・電源部
５・・・無線部
６・・・切替スイッチ
７・・・ＯＡフロア（フリーアクセスフロア）システム
８・・・空間
【図１】
0003133396.tif 000003
【図２】
0003133396.tif 000004
(57)【要約】      （修正有）【課題】給水栓の栓座が損傷し、漏水している場合、電動ドリル等を利用して給水栓の栓座を切削し、漏水を止める。【解決手段】給水栓本体６の上端開口部の内径とほぼ同じ外径に成形された円柱状のガイド２の外周に切削深度計測用の目盛り１を標示し、その中心に切削軸３を回転自在となるよう取付け、切削軸３の下端部に給水栓の栓座の形状に合致する円盤状の切削砥石４を軸芯を合わせて取り付け、給水栓の栓座６ａの開口の内径に近い外径に成形された円錐状の固定金具５で切削砥石４を切削軸３に固定した。【選択図】図１
0003133392.tif 000002
【実用新案登録請求の範囲】
【請求項１】
給水栓本体の上端開口部の内径とほぼ同じ外径に成形された円柱状のガイドの外周に切削深度計測用の目盛りを標示し、そのガイドの中心軸に自在に回転出来る切削軸を挿通して設け、切削軸の下端部には給水栓の栓座の形状に合致する形をした円盤状の切削砥石を軸芯を合わせて取り付け、給水栓の栓座の開口の内径に近い外径に成形された円錐状の固定金具で切削砥石を切削軸に固定した事を特徴とする給水栓修理用栓座切削工具。
【考案の詳細な説明】
【技術分野】
【０００１】  本考案は損傷した給水栓の栓座を切削し、漏水を止める工具に関するものである。
【背景技術】
【０００２】  給水栓の漏水原因のひとつ、栓座が損傷している場合において、従来は、損傷が軽微ならば栓座を砥石などで研磨し、漏水を止める事が出来たが、損傷が大きい場合では給水栓本体の交換しか漏水を止める方法が無かった。
【考案の開示】
【考案が解決しようとする課題】
【０００３】  従来、給水栓の漏水修理のために栓座を砥石で研磨すると、研磨後の給水栓は操作時の使用感が硬くなってしまい、力の弱い子供や高齢者などには使いにくくなる場合があった。又、給水栓の交換は、経済的負担が大きいため、使用頻度が高く、給水栓の消耗が激しい業務用の調理場等の施設でも、その経済的負担が課題となっていた。本考案は、損傷した給水栓の栓座を、深く切削し、新品時と同様の形状に修復する事によって、従来では不可能であった比較的に大きな栓座の損傷でも、使用感を損なわず修復し、前途の課題を解決しようとするものである。
【課題を解決するための手段】
【０００４】  本考案は、給水栓本体の上端開口部の内径とほぼ同じ外径に成形された円柱状のガイドの外周に切削深度計測用の目盛りを標示し、そのガイドの中心には軸孔を設け、その中に切削軸を自在に回転出来るように設置し、切削軸の下端部に給水栓の栓座の形状に合致する切削砥石を軸芯を合わせて取り付け、栓座の開口の内径に近い外径に成形された、円錐状の固定金具で切削砥石を切削軸に固定したものである。これを栓座が損傷し、漏水している給水栓上端の開口部より挿入し、ガイドに標示された目盛りで切削深度を計測しながら電動ドリルを用いて切削軸を回転させる事により栓座を新品時と同様の形状に修復し、前述の問題を解決するものである。
【考案の効果】
【０００５】  従来は施工者の勘を頼りに施工されていた栓座の研磨作業であったが、本考案の給水栓の栓座切削工具では、ガイドに切削深度計測用の目盛りを標示した事により、誰でも正確に切削寸法を計測しながら精密な施工が可能になる。切削深度の計測が可能となった事で、従来では大きすぎて修復不可能であった栓座の損傷でも、許容範囲内で切削深度を深くする事により修復可能となる。又、切削砥石を給水栓本来の栓座の形状に合致する形としたため、修復後でも新品時と同様の快適な使用感が得られる。
【考案を実施するための最良の形態】
【０００６】  給水栓の栓座切削工具を給水栓上端の開口に挿入した時、ガイドの上端が給水栓の上端より上に長く突出ており、容易に手で保持する事が出来ると共に、その外周に標示された切削深度計測用の目盛りが確認できる。又、切削軸はガイドの中心軸に設置してあり、切削軸の上端を電動ドリル等を用いて回転させてもガイドが供回りしないように取り付けられている。切削軸に切削砥石を固定する固定金具は、切削砥石に接触する上方の部分が栓座の開口の内径とほぼ同じ外径であり、下方先端部分は細くなっているため挿入時に切削軸の軸芯合わせが容易に出来る。
【実施例】
【０００７】  以下、添付図面に従って実施例を説明する。給水栓本体（６）の上端開口部の内径とほぼ同じ外径に成形された円柱状のガイド（２）の外周に切削深度計測用の目盛り（１）を標示し、その中心に切削軸（３）を回転自在となるよう取付け、切削軸（３）の下端部に給水栓の栓座の形状に合致する円盤状の切削砥石（４）を軸芯を合わせて取り付け、給水栓の栓座（６ａ）の開口の内径に近い外径に成形された円錐状の固定金具（５）で切削砥石（４）を切削軸（３）に固定したものであって、これを栓座が損傷し、漏水している給水栓本体（６）の上端開口部から、切削砥石（４）部分を下にして挿入し、ガイド（２）の上端部（２ａ）を片手で保持し、切削深度計測用の目盛り（１）により切削深度を計測しながら、切削軸（３）の上端部分を電動ドリル等（７）を用いて回転させ、損傷した給水栓の栓座（６ａ）を切削し、本来の形状に修復する事により給水栓の漏水を止める。
【図面の簡単な説明】
【０００８】
【図１】本考案、給水栓修理用栓座切削工具の実施例を示す一部切欠断面図である。
【図２】給水栓修理用栓座切削工具の外観図である。
【図３】給水栓修理用栓座切削工具の断面図である。
【符号の説明】
【０００９】    １  切削深度計測用目盛り
２  ガイド
３  切削軸
４  切削砥石
５  固定金具
６  給水栓本体
７  電動ドリル
【図１】
0003133392.tif 000003
【図２】
0003133392.tif 000004
【図３】
0003133392.tif 000005
(57)【要約】      （修正有）【課題】各配線の挿入及び引抜き作業の効率が良くなり、作業期間の短縮ができる配線絡まり防止器具を提供する。【解決手段】中央に切れ目を持った引き込線用穴１（２）を設け、その両側に引き込線用穴２（３）・引き込線用穴３（４）を設け、全体の外面にガイドを設置する。【選択図】図６
0003133391.tif 000002
【実用新案登録請求の範囲】
【請求項１】
中央に引き込線用穴１（２）を設け、その両側に引き込線用穴２（３）、引き込線用穴３（４）を設け、引き込線用穴１（２）に切れ目（６）を設け、全体の外面にガイド（５）を設けた配線絡まり防止器具。
【考案の詳細な説明】
【考案の詳細な説明】
【技術分野】
【０００１】本考案は、電気・給水・下水・光ファイバー及び、通信線等を総合して先行配線する際に、管内に挿入する各引き込線が絡まらない様にする絡まり防止器具に関する。
【背景技術】
【０００２】従来、配線絡まり防止器具は、引き込線用の穴が設けてあるだけなので、配線作業時の引き抜き及び挿入を行う際、配線絡まり防止器具が管内にて倒れてしまい、作業がはか取らないという欠点があった。
【考案が解決しようとする課題】
【０００３】本案は、その欠点を除いて、配線作業時に、配線絡まり防止器具が倒れない様に開発しようとするものである。
【課題を解決するための手段】
【０００４】その解決手段を図面を追いながら説明すれば、ガイド付配線絡まり防止器具本体（１）の中央に引き込線用穴１（２）を設置し、その両側に引き込線用穴２（３）と引き込線用穴３（４）を設置する。
引き込線用穴１（２）は引き込線用穴３（４）にむけて切れ目（６）を入れる。
ガイド付配線絡まり防止器具本体（１）の外面を包むようにガイド（５）を設置する。
【考案を実施するための最良の形態】
【０００５】本案は、以上のような構造であるから電気・給水・下水・光ファイバー・通信線等をまとめて先行配線する際、その管内に当該配線絡まり防止器具を設置すると、各線の挿入作業時及び引き抜き作業時に配線絡まり防止器具が倒れることがなくなる。
【考案の効果】
【０００６】したがって、各配線の挿入及び引き抜き作業の効率は良くなり、作業期間の短縮をする事ができる。
【０００７】上記、ガイド付配線絡まり防止器具は、必要に応じて３穴以上の引き込線用穴を設ける事ができる。
【図面の簡単な説明】
【０００８】
【図１】正面図
【図２】右側面図
【図３】左側面図
【図４】上面図
【図５】ＡＢ間の断面図
【図６】斜視図
【符号の説明】
１．ガイド付配線絡まり防止器具本体
２．引き込線用穴  １
３．引き込線用穴  ２
４．引き込線用穴  ３
５．ガイド
６．切れ目
【図１】
0003133391.tif 000003
【図２】
0003133391.tif 000004
【図３】
0003133391.tif 000005
【図４】
0003133391.tif 000006
【図５】
0003133391.tif 000007
【図６】
0003133391.tif 000008
(57)【要約】      （修正有）【課題】両手に無駄な力をかけずに便利に使用できるリング状垢すりを提供する。【解決手段】垢すりをリング状にすることにより身体を洗うとき両手に無駄な力をかけることなく身体を洗うことが可能である。【選択図】図１
0003133393.tif 000002
【実用新案登録請求の範囲】
【請求項１】
リングの形状を有する垢すり
【考案の詳細な説明】
【技術分野】
【０００１】本考案は身体を洗う垢すりに関するものである
【背景技術】
【０００２】従来の垢すりは帯び状の形である
【考案の開示】
【考案が解決しようとする課題】
【０００３】身体を洗うことを便利にする
【課題を解決するための手段】
【０００４】本考案は垢すりをリング状にすることにより身体を洗うとき両手にむだな力をかけることなく身体を洗うことが可能である
【図面の簡単な説明】
【０００５】
【図１】図は本考案の形熊図
【図１】
0003133393.tif 000003
(57)【要約】【課題】過電流回路遮断器のオン状態とトリップ状態が容易に目視又は指先で確認が出来る構造にする。【解決手段】本考案は、上部から下部に貫通する穴をもつ穴あき押釦１１へトリップ表示棒１２を挿入する。トリップ表示棒１２は板バネ６に接し或いは接近した位置に置かれ、オン状態では穴あき押釦１１と同じ高さに設定しておく。トリップ状態のとき、過電流が流れ熱線２が発熱により膨張し伸びることで、トリップ表示棒１２は板バネ６によって押し上げられ、穴あき押釦１１より突出する構造を特徴とする。【選択図】図４
0003133394.tif 000002
【実用新案登録請求の範囲】
【請求項１】
トリップ表示棒が挿入されている押釦を、トリップ時に板ばねの位置差を利用して、トリップ表示棒が押釦より突出し、目視でトリップ状態が確認できる構造をもった過電流回路遮断器のトリップ表示装置。
【考案の詳細な説明】
【技術分野】
【０００１】
本考案は、過電流回路遮断器のトリップ状態を表示する装置に関するものである。
【背景技術】
【０００２】
図１は過電流回路遮断器のトリップ状態における透視図である。Ａ端子１は負荷或いは電源に接続される。熱線２はＡ端子１に接続され、可動接点３はあらかじめ湾曲された導電性の板バネ６または熱線２に取付けられている。可動接点３を受ける固定接点４はＢ端子５に接続されている。Ｂ端子５は電源或いは負荷に接続され、可動接点３と固定接点４が接触していれば、電源から負荷へ電流が供給される。押釦７はトリップ状態を可動接点３と固定接点４が閉じるオン状態にさせる復帰のための押釦で、押釦復帰バネ８は押釦７を常時押し上げるためにあり、ベース９はＡ端子１やＢ端子５や熱線２などを支える絶縁物で構成され、カバー１０は透視になっているが過電流回路遮断器のカバーである。
【０００３】
図２は図１を横から見た断面図で、トリップ状態を示し、この状態では回路が遮断されている。
【０００４】
図３は過電流回路遮断器がオン状態にするために、押釦７を指で押している状態を示しており、押された押釦７の下部先端が反っている板バネ６のほぼ中央を押すと板バネ６が反転し、可動接点３と固定接点４間が閉じ、回路に電流が流れるオン状態となる。押釦７を押している指をはなすと押釦７は押釦復帰バネ８により押し上げられる。
【０００５】
ここで再び過電流が流れると熱線２が発熱により膨張し伸び、板バネ６が再反転しトリップし、回路は遮断され図２の状態に戻る。このときの押釦７は押釦復帰バネ８によって押し上げられた状態のため、目視ではオン状態かトリップ状態か判断できない。
【非特許文献１】株式会社日幸電機製作所サーキットプロテクタ総合カタログ
【考案の開示】
【考案が解決しようとする課題】
【０００６】
本考案は過電流回路遮断器のオン状態とトリップ状態が目視又は指先で確認が出来る構造にすることである。
【課題を解決するための手段】
【０００７】
本考案は、押釦７に上部から下部に貫通する穴をもうけた穴あき押釦１１にトリップ表示棒１２を挿入する。オン状態で穴あき押釦１１と同じ高さに設定し、トリップ状態でトリップ表示棒１２が穴あき押釦１１より突出する構造にする。
【考案の効果】
【０００８】
本考案は過電流回路遮断器のオン状態でトリップ表示棒１２が穴あき押釦１１と同じ高さとなり、トリップ状態ではトリップ表示棒１２が穴あき押釦１１より突出して目視又は指先によって、オン状態又はトリップ状態が確認できる。
【考案を実施するための最良の形態】
【０００９】
本考案は、押釦７をに上部から下部に貫通する穴をもうけた穴あき押釦１１の構造にし、トリップ表示棒１２を挿入する。トリップ表示棒１２は板バネ６に接し或いは接近した位置に置かれ、オン状態では穴あき押釦１１と同じ高さに設定することで、トリップ状態のとき、過電流が流れ熱線２が発熱により膨張し伸びることで、トリップ表示棒１２が板バネ６によって押し上げられ、穴あき押釦１１より突出する構造にする。
【実施例１】
【００１０】
図４は本考案のトリップ表示装置を取付けた過電流回路遮断器の断面図である。穴あき押釦１１は押釦７をその軸の中心付近で上部から下部に貫通する穴をもうけたものである。トリップ表示棒１２は、穴あき押釦１１の貫通した穴に挿入され、オン状態では板ばね６に接するか、ほぼ接する位置にあり穴あけ押釦１１の上部とトリップ表示棒１２の上部はほぼ同一高さに設定する。
【００１１】
図５は過電流が流れトリップしトリップ表示棒１２が板ばね６によって押し上げられた状態を示す。板ばね６により押し上げられたトリップ表示棒１２の上部は、オン状態とトリップ状態の板ばね６の位置の差分だけ押し上げられ、上部が穴あき押釦１１より突出する。この突出したトリップ表示棒を目視し又は触れることによって、トリップ状態を見分けられる。
【００１２】
穴あき押釦１１とトリップ表示棒１２を色違えにするなどによりさらに明確に状態を目視することが出来る。
【産業上の利用可能性】
【００１３】
過電流回路遮断器の状態が容易に確認できるため、保守点検時等の作業時間が軽減される。また、表示が目視しにくい場所でも、指先で触れることにより、オン状態又はトリップ状態が確認できる。
【図面の簡単な説明】
【００１４】
【図１】過電流回路遮断器の透視図
【図２】過電流回路遮断器の断面図
【図３】押釦を押した状態の過電流回路遮断器の断面図
【図４】トリップ表示付き過電流回路遮断器の断面図
【図５】トリップ状態の過電流回路遮断器の断面図
【符号の説明】
【００１５】
１    Ａ端子
２    熱線
３    可動接点
４    固定接点
５    Ｂ端子
６    板バネ
７    押釦
８    押釦復帰バネ
９    ベース
１０  カバー
１１  穴あき押釦
１２  トリップ表示棒
【図１】
0003133394.tif 000003
【図２】
0003133394.tif 000004
【図３】
0003133394.tif 000005
【図４】
0003133394.tif 000006
【図５】
0003133394.tif 000007
【手続補正書】
【提出日】平成19年5月7日(2007.5.7)
【手続補正１】
【補正対象書類名】実用新案登録請求の範囲
【補正対象項目名】全文
【補正方法】変更
【補正の内容】
【実用新案登録請求の範囲】
【請求項１】
過電流により熱線の発熱膨張による伸びを利用した過電流回路遮断器において、復帰押釦の上部から下部に貫通した穴をもつ押釦にトリップ表示棒を挿入し、オン状態とトリップ状態のとき板バネ中心部分の位置変化をトリップ表示棒に伝え、トリップ状態のときに穴あき押釦の上部からトリップ表示棒が突出して、トリップ状態を目視又は指先で触れることなどで容易に判別できる構造をもった過電流回路遮断器のトリップ表示装置。
(57)【要約】      （修正有）【課題】綿棒容器の機能を効果的に高め、本数が減少しても倒れて乱雑にならない綿棒整理容器を提供する。【解決手段】綿棒容器の内部に形状加工を施した巻込ロールを設け、このロールは綿棒が減少してゆく段階で自動的に内側に巻込まれ、その作用で乱雑する綿棒を取り出し易く、衛生的に常時整理できるようにしたものである。【選択図】図２
0003133374.tif 000002
【実用新案登録請求の範囲】
【請求項１】
綿棒を柱状に束ねて収納した筒状容器であって、この容器の内部には形状記憶加工を施した閉巻込ロール状を設けたところを特徴とする綿棒整理容器。
【考案の詳細な説明】
【技術分野】
【０００１】本考案は、衛生と整理に使用される綿棒容器に関するものである。
【背景技術】
【０００２】従来の綿棒容器は、綿棒が減少していくと倒れこみで乱雑になり取り出しにくく整理ができなく衛生上も好ましくない。
【考案の開示】
【考案が解決しようとする課題】
【０００３】本考案は、綿棒容器内の綿棒を整理することにより、前述の欠点を解決しようとするものである。
【課題を解決するための手段】
【０００４】本考案は、綿棒容器の内部に形状記憶加工を施した閉巻込ロール状を設けて、この巻込ロールの片端は容器の内側の一部に固定しており、綿棒全収納の時は、巻込ロールは円形状に開いた状態で綿棒を包み込み、綿棒が減少してゆく段階で巻込ロールが容器の内側の一部に向かって綿棒を自動的に巻込することで、倒れこみによる乱雑する綿棒を整理し、取り出しやすくしたもので衛生上も課題を解決したものである。
【考案の効果】
【０００５】上述の様に綿棒容器は、綿棒が減少しても取り出しやすく綿棒を常時整理ができ衛生的である。
【考案を実施するための最良の形態】
【０００６】本考案の巻込ロールは、金属、プラスチック、及び紙材の素材で形状記憶加工が施されているのが特徴。
【実施例】
【０００７】本考案の容器は、綿棒が減少しても常時整理ができ、綿棒を他の容器に移し替える必要が省ける。
【図面の簡単な説明】
【０００８】
【図１】綿棒が全部収納した状態の巻込ロール付綿棒整理容器である。
【図２】綿棒が減少した状態で綿棒が整理された巻込ロール付整理容器である。
【符号の説明】
【０００９】１容器蓋
２綿棒整理容器
３全収納綿棒
４開いた巻込ロール
５閉巻込ロール
６巻込整理された綿棒
【図１】
0003133374.tif 000003
【図２】
0003133374.tif 000004
(57)【要約】【課題】      ウイルスの感染病と防虫害の被害から守る農業ハウスを提供する。【解決手段】  農業ハウスの機密を保ち、袋型フィルター付吸気扇に適度の殺菌液と防虫液をかけ、殺菌と害虫を駆除しつつ、ハウス内へ外気を取り込む。  ハウス内の空気は適度の殺菌液と防虫液で湿度を保ち、病原菌の飛散を防ぐことができるる。  ハウス内の空気圧は袋型フィルター付吸気扇により高くなり、排気弁型圧力窓で気圧を保ち排気して換気ができる。  ドアーを開閉する時、外気圧と内気圧の気圧差によりハウス内の空気は外へと漏れ出し、漏れ出すことで細菌と害虫のハウス内への進入を防止でき、農業ハウス内の生産物への農薬散布を削減し、人体に有害な残留濃度を減らすことができ細菌の感染と害虫の被害から守ることが出きる。【選択図】図１
0003133380.tif 000002
【実用新案登録請求の範囲】
【請求項１】
農業ハウスの気密を保ち、外気を取り込みながら殺菌できるフィルター付き換気扇と、気圧を保ち排気しながら換気ができる排気弁型圧力窓と、ドアーを組み合わせたハウス内の生産物をウイルスの感染病と害虫の被害から守る、農業ハウス。
【考案の詳細な説明】
【技術分野】
【０００１】  本考案は、農業ハウスに袋型フィルター付吸気扇と排気弁型圧力とドアーを組み合わせることで、ハウス内の気圧と湿度を保ち換気して、生産物への農薬散布を削減し、残留濃度を減らすことができウイルス感染病と害虫の被害から守る、農業ハウスに関する。
【背景技術】
【０００２】  近年、農業ハウスの生産物のウイルス感染病と害虫への対策として、定期適に直接生産物へ薬剤を散布されている。
【考案の開示】
【考案が解決しようとする課題】
【０００３】  ところで、農業ハウスの生産物へ定期適に直接薬剤をまくことは、土壌と生産物への薬剤の残留濃度が高くて人体に悪く好ましくない。【０００４】  この考案は、農業ハウスの機密を保ち、農業生産物のウイルス感染病と害虫防止策が可能な、農業ハウスと袋型フィルター付吸気扇と排気弁型圧力窓とドアーを組み合わせてた、ウイルスの感染病と害虫の被害から守り、農業生産物と土壌の残留濃度を減らせることができる、農業ハウスを提供することを目的とする。
【課題を解決するための手段】
【０００５】  上記目的を達成するために本考案の、ウイルスの感染病と害虫の被害から守る農業ハウスでは、袋型フィルター付き吸気扇のフィルターに適度の殺菌液と防虫液をかけ、ウイルスと害虫を駆除して外気を取り込みながら農業ハウス内の空気を殺菌する。【０００６】  袋型フィルター付き吸気扇で農業ハウスに外気を取り込むことにより、空気圧を保ち排気弁型圧力窓により排気をすることで換気する。【０００７】  農業ハウスの空気圧を保つことで、農業ハウス内へドアーを開けて出入りする時、農業ハウス内の空気は気圧の差によりドアーの外側へ放出されて、ドアーからのウイルスと害虫の進入を防止する。【０００８】  農業ハウス内の空気は適度の殺菌液と防虫液をかけたフィルターを通過しつつ殺菌され、適度の湿度を保ち、ウイルスの飛散と感染防止をする。【０００９】  農業ハウスの、袋型フィルター付吸気扇のフィルターへ殺菌液と防虫液を適度にかけ、ウィルと害虫を駆除して外気を取り込むために、生産物への農薬散布を削減する。【００１０】  農業ハウスの農産物への農薬散布を削減して人体に有害な残留濃度をへらす。
【考案の効果】
【００１１】  本考案の、ウイルスの感染病と害虫の被害から守る農業ハウスでは袋型フィルター付吸気扇と排気弁型圧力窓とドアーを組み合わせたことで、袋型フィルター付吸気扇のフィルタへ適度の殺菌液と防虫液をかけて外気を農業ハウス内へ取り込むことでウイルスと害虫を駆除して空気を殺菌することができる。【００１２】  袋型フィルター付吸気扇で農業ハウス内へ外気を取り込むことで、空気圧は高くなり空気圧を保ち、排気弁型圧力窓により排気することで換気ができる。【００１３】  農業ハウス内の空気圧を保つことで、ドアーを開けて出入りする時、農業ハウス内の空気は外側へ放出されてドアーからのウイルスと害虫の侵入を防ぎドアーをすぐに閉めることにより外部からのウイルスと害虫の侵入が防止できる。【００１４】  農業ハウス内の空気は適度の殺菌液と防虫液をかけたフィルターを通過したことで湿度が保たれウイルスの飛散と感染防止ができる。【００１５】  農業ハウス内へ袋型フィルター付吸気扇のフィルタへ殺菌液と防虫液を適度にかけ、外気をとりこむために、ウイルスと害虫が激減し生産物へ農薬の直接散布を削減することで、生産物と土壌の農薬の残留濃度を減らすことができる。【００１６】  農業ハウスの農産物への農薬散布を削減することで、人体に有害な残留濃度を減らすことができる。
【考案を実施するための最良の形態】
【００１７】  以下、本考案の実施形態に係る、ウイルスの感染病と害虫の被害から守る農業ハウスを図面を参照して説明する。
図１は、ウイルスの感染病と害虫の被害から守る農業ハウス全体図を示す。【００１８】  図１，２，３に示すように、ウイルスの感染病と害虫の被害から守る農業ハウスは、袋型フィルター付吸気扇と排気弁型圧力窓とドアーを有している。【００１９】  図２に示すように、ウイルスの感染病と害虫の被害から守る農業ハウスは袋型フィルター付吸気扇により外気を取り込み、適度に殺菌液と防虫液をかけたフィルターを通し、殺菌と害虫を駆除して空気圧を高める。【００２０】  袋型フィルター付き吸気扇により外気を取り込み、農業ハウス内の空気は外気より高くなり、排気弁型圧力窓で圧力が保たれ排気されて換気ができる。【００２１】  ドアーを開けた時、農業ハウス内空気は圧力により外側へ放出され、ドアーをすぐに閉めることで細菌と害虫の侵入を防止できる。【００２２】  農業ハウス内の空気は袋型フィルター付吸気扇により適度の殺菌液と防虫液をかけたフィルターを通過したことで、湿度が保たれウイルスの飛散と感染防止ができる。【００２３】  袋型フィルター付吸気扇のフィルターに殺菌液と防虫液を適度にかけ、外気を取り込むために、ウイルスと害虫が激減し生産物への農薬の直接散布削減できて生産物と土壌と人体に有害な農薬残留濃度を減らすことができる。
【図面の簡単な説明】
【００２４】
【図１】  農業ハウス全体
【符号の説明】
【００２５】  １  袋型フィルター付吸気扇
２  排気弁型圧力窓
３  ドアー
【図１】
0003133380.tif 000003
【図２】
0003133380.tif 000004
【図３】
0003133380.tif 000005
【手続補正書】
【提出日】平成19年4月27日(2007.4.27)
【手続補正１】
【補正対象書類名】明細書
【補正対象項目名】００２４
【補正方法】変更
【補正の内容】
【００２４】
【図１】は、本考案に係る農業ハウス全体構造図である。
【図２】は、袋型フィルター吸気扇図である。
【図３】は、排気弁型圧力窓図である。
(57)【要約】【課題】ドアの安全装置の提供。【解決手段】ドアの安全装置は、充分な剛性と弾性を有する材料を一体成型、或いは、組み合わせ方式で構成し、中心部、或いは、ばねと、中心部かばねの一側に連接される固定部と、中心部かばねのもう一側に連接される可動部と、からなる。固定部はドアフレームに固定され、可動部はドア方向で、自由端がドアに抵接し、ドアは開放状態でも閉鎖状態でも、ドアとドアフレーム間の隙間と挟角は可動部により遮蔽され、手指が挟まれるのを防止する。【選択図】    図１
0003133311.tif 000002
【実用新案登録請求の範囲】
【請求項１】
ドアの安全装置であって、剛性と弾性が充分な材料で、一体成型で、長さのある板状体を成型し、
中心部と、
前記中心部の一側に連接され、ドアフレームに固定される固定部と、
前記中止部のもう一側に連接され、自由端が円柱を形成し、前記自由端に接近する位置が湾曲部を形成し、前記ドアフレームとドア間の隙間と挟角を遮蔽する可動部と、
からなることを特徴とするドアの安全装置。
【請求項２】
前記可動部の幅は前記固定部より大きいことを特徴とする請求項１に記載のドアの安全装置。
【請求項３】
ドアの安全装置であって、剛性と弾性が充分な材料で、一体成型で、長さのある板状体を成型し、
ばねと、
前記ばねの一側に連接され、ドアフレームに固定される固定部と、
前記ばねのもう一側に連接され、自由端が円柱を形成し、前記自由端に接近する位置が湾曲部を形成し、前記ドアフレームとドア間の隙間と挟角を遮蔽する可動部と、
からなることを特徴とするドアの安全装置。
【考案の詳細な説明】
【技術分野】
【０００１】
本考案はドアの安全装置に関するものであって、手指やその他の体の部分がドアとドアフレームに挟まれるのを防止する安全装置に関する。
【背景技術】
【０００２】
ドアとドアフレームの接合箇所は、ドア開放時、隙間と挟角を生成して危険である。トルク作用によって、隙間と挟角の挟傷力はドアノブ側のドア辺で手を挟む時よりも大きく、予想しない状況下で特に子供が怪我する恐れがある。しかし、現在までに、それを防止する効果的な方法が見つかっていない。また、挟傷事故の発生で骨折や後遺症が残る可能性もあり、便利で耐用性のある安全装置が必要である。
【考案の開示】
【考案が解決しようとする課題】
【０００３】
本考案の目的は、ドアとドアフレーム接合辺の隙間と挟角が人に怪我をさせる問題を改善する安全装置を提供することにある。
【課題を解決するための手段】
【０００４】
上述の目的を達成するため、本考案のドアの安全装置は、ドアとドアフレームの接合辺の隙間と挟角の遮蔽を維持し、手指や体のその他の部位が挟角に進入して怪我するのを防止する。
【０００５】
本考案の構造は、充分な剛性と弾性を有する材料を一体成型した長さのある板状体を採用し、その中心部の一側は固定部を連接し、もう一側は可動部を連接し、固定部はドアフレームに固定され、可動部本体の弾性により自由端がドアに抵接し、ドアとドアフレーム間の隙間と挟角が可動部の遮蔽を受けて、手指や体の部位が隙間に進入して怪我するのを防止する。    
【考案の効果】
【０００６】
本考案のドアの安全装置は、ドアとドアフレームの接合辺の隙間と挟角の遮蔽を維持し、手指や体のその他の部位が挟角に進入して怪我するのを防止する。    
【考案を実施するための最良の形態】
【０００７】
図１は本考案のドアの安全装置１の第一実施例を示す図で、鋼板、プラスチック、プラスチック鋼等の剛性と弾性が充分な材料を採用して、一体成型で長さを有する板状体を成型する。円柱状の中心部１１を有し、中心部１１の一側は板状の固定部１２を有し、中心部１１のもう一側は板状の可動部１３を連接する。固定部１２上に複数のホール１２１を設置し、ねじによりホール１２１を穿過し、固定部１２はドアフレーム２に固定される（図３と図４で示される）。この他、可動部１３の自由端に接近する適当な位置に湾曲部１３２を有する。自由端は直径が可動部１３の厚さより大きい円柱１３１を有する。図３と図４は、固定部１２が壁４のドアフレーム２に固定されることを示し、ドアが開放状態時、可動部１３自身の弾性により自由端の円柱１３１がドアの端辺に抵接し、この状態で、可動部１３はドアフレーム２とドア３間の隙間と挟角を遮蔽する。
【０００８】
図５と図６で示されるように、ドア３がドアフレーム２に対し９０度回転してドアが閉まる時、ドアフレーム２とドア３の接合箇所は隙間Aと挟角を生じ、この時、可動部１３の円柱１３１はドア３の側辺からドアの側表面に移動し、同様に、隙間Aの遮蔽をドア３が完全に閉まるまで（図７と図８で示される）維持する。ドア３が可動部３に対し最大作用力を生じて変形する。次にドアを開ける時、可動部１３の変形で保存された弾力により可動部１３が元の位置に回復する過程で、隙間Aの遮蔽を保持し、手指や体の部位が隙間に進入して怪我するのを防止する。
【０００９】
図２は本考案の安全装置１の第二実施例を示す図で、組み合わせ方式により構成し、ばね１１Aにより前述の中心部１１を代替し、ばね１１Aの両側はそれぞれ固定部１２と可動部１３に連接され、同様に、固定部１２がドアフレーム２に固定され、ばね１１Aの弾性と可動部１３自身の弾性により、可動部１２の自由端の円柱１３１が安定してドア３に抵接し、ドアフレーム２とドア３の間の隙間Aと挟角を遮蔽し、手指や体の部位が隙間に進入して怪我するのを防止する。
【００１０】
本考案の安全装置１は、ドアフレーム２とドア３の間の隙間を遮蔽する効果以外に、可動部１３によりドア３を抵接する阻止効果を有し、強風やその他の外力で瞬間的にドアを推動してドアが閉まるのを防止する。
【図面の簡単な説明】
【００１１】
【図１】本考案の安全装置の第一実施例の立体図である。
【図２】本考案の安全装置の第二実施例の立体図である。
【図３】本考案の安全装置をドアフレームに装着し、且つ、ドアが開放状態の実施例の立体図である。
【図４】本考案の安全装置がドアフレームに装着し、且つ、ドアが開放状態の実施例の上視平面図である。
【図５】図３のドアがドアフレームに対し９０度回転する状態を示す図である。
【図６】図４のドアがドアフレームに対し９０度回転する状態を示す図である。
【図７】図３のドアがドアフレームに対し１８０度回転する状態を示す図である。
【図８】図４のドアがドアフレームに対し１８０度回転する状態を示す図である。
【符号の説明】
【００１２】
１        安全装置
１１      中心部
１１A    ばね
１２      固定部
１２１    ホール
１３      可動部
１３１    円柱
１３２    湾曲部
２        ドアフレーム
３        ドア
４        壁
A        隙間        
【図１】
0003133311.tif 000003
【図２】
0003133311.tif 000004
【図３】
0003133311.tif 000005
【図４】
0003133311.tif 000006
【図５】
0003133311.tif 000007
【図６】
0003133311.tif 000008
【図７】
0003133311.tif 000009
【図８】
0003133311.tif 000010
(57)【要約】      （修正有）【課題】保冷効果が失われる前に、随時保冷媒介を補充し、保冷機能を延長することができる携帯式冷凍保存補充装置の提供。【解決手段】保冷ボックスには保冷媒介を充填可能な保冷空間を設置し、保冷空間にはさらに保冷媒介充填口とその充填部品を設置し、携帯式保冷媒介充填ボトルと連接するために用いる。【選択図】図４
0003133318.tif 000002
【実用新案登録請求の範囲】
【請求項１】
保冷ボックス内部には保冷空間を設置し、携帯式保冷媒介充填ボトルにより保冷媒介を充填可能なことを特徴とする携帯式冷凍保存補充装置。
【請求項２】
前記保冷ボックスの外部には保冷空間に通じる充填口とその充填部品を設置し、これにより該携帯式保冷媒介充填ボトルの充填管と連接し、保冷媒介を補充することを特徴とする請求項１記載の携帯式冷凍保存補充装置。
【請求項３】
前記保冷媒介は液体窒素、気体窒素、冷媒、二酸化炭素などの三態変化を備えた物質であることを特徴とする請求項１記載の携帯式冷凍保存補充装置。
【請求項４】
前記携帯式保冷媒介充填ボトルには該保冷ボックスの温度を制御可能な温度制御器を設置することを特徴とする請求項１記載の携帯式冷凍保存補充装置。
【考案の詳細な説明】
【技術分野】
【０００１】
本考案は一種の携帯式冷凍保存補充装置に関する。特に一種の携帯式保冷ボックス或いはポータブル冷蔵庫への補充に応用する保冷媒介及び保冷時間を延長可能な技術に係る。
【背景技術】
【０００２】
旅行、キャンプ、ハイキング、釣などのレジャーに出掛ける時、携帯する食物、飲料、或いは他の用品の新鮮さ保持と保冷のために、アイスボックス或いは保冷ボックスが用いられる。
【０００３】
現在市販されているアイスボックスは断熱層を設置するが、使用時にはアイスボックス内に氷を入れる必要があり、しかも氷が融けた後はその保冷効果をゆっくりと失って行く。一方、比較的進んだ保冷ボックスでは、内部に冷媒を入れる保冷層が設置され、自動車内の電源に接続することができるため、保冷可能時間は伝統的なアイスボックスよりも長い。
【０００４】
しかし、実際の使用においては、公知のアイスボックス及び保冷ボックスには共に使用時間の制限があり、持続的な保冷、冷蔵或いは冷凍効果を提供することはできない。
【考案の開示】
【考案が解決しようとする課題】
【０００５】
本考案者は関連製品の製造、設計に従事し、多年にわたり実務経験と心得を蓄積しており、上記公知のアイスボックス及び保冷ボックスの問題と欠点に鑑み、創作と改良の精神を以って、携帯式冷凍保存補充装置を提供するものである。
【０００６】
上記課題を解決するため、本考案は下記の携帯式冷凍保存補充装置を提供する。それは保冷ボックス内には保冷媒介を充填可能な保冷空間を設置し、保冷効果を延長するため、該保冷空間にはさらに保冷媒介の充填を持続可能な保冷媒介充填口とその充填部品を設置し、使用者は携帯式保冷媒介充填ボトルを携帯し、保冷効果が失われる前に保冷媒介を補充するだけで、保冷ボックスは長時間、食料、飲料、或いは他の用品を保存することができる携帯式冷凍保存補充装置を提供する。
【課題を解決するための手段】
【０００７】
請求項１の考案は、保冷ボックス内部には保冷空間を設置し、携帯式保冷媒介充填ボトルにより保冷媒介を充填可能なことを特徴とする携帯式冷凍保存補充装置としている。
請求項２の考案は、前記保冷ボックスの外部には保冷空間に通じる充填口とその充填部品を設置し、これにより該携帯式保冷媒介充填ボトルの充填管と連接し、保冷媒介を補充することを特徴とする請求項１記載の携帯式冷凍保存補充装置としている。
請求項３の考案は、前記保冷媒介は液体窒素、気体窒素、冷媒、二酸化炭素などの三態変化を備えた物質であることを特徴とする請求項１記載の携帯式冷凍保存補充装置としている。
請求項４の考案は、前記携帯式保冷媒介充填ボトルには該保冷ボックスの温度を制御可能な温度制御器を設置することを特徴とする請求項１記載の携帯式冷凍保存補充装置としている。
【考案の効果】
【０００８】
本考案は保冷ボックス内には保冷媒介を充填可能な保冷空間を設置し、保冷効果を延長するため、該保冷空間にはさらに保冷媒介の充填を持続可能な保冷媒介充填口とその充填部品を設置し、使用者は携帯式保冷媒介充填ボトルを携帯し、保冷効果が失われる前に保冷媒介を補充するだけで、保冷ボックスは長時間、食料、飲料、或いは他の用品を保存することができる携帯式冷凍保存補充装置を提供する。
【考案を実施するための最良の形態】
【０００９】
本考案第一実施例の立体概略図である図１、本考案第一実施例の使用状態概略図である図２に示すように、本考案保冷ボックス１０内部には保冷空間１１を設置する。該保冷空間１１は携帯式保冷媒介充填ボトル２０により保冷媒介１２を充填することができる。該保冷媒介１２は液体窒素、気体窒素、冷媒、二酸化炭素などの三態変化を備えた物質である。該携帯式保冷媒介充填ボトル２０にはさらに温度制御器２２を設置し、該保冷ボックス１０の温度を制御する。
【００１０】
本考案第二実施例の立体概略図である図３、図４に示すように、該保冷ボックス１０外部にはさらに該保冷空間１１に通じる充填口１３とその充填部品１４を設置することができる。該充填口１３と該充填部品１４は該携帯式保冷媒介充填ボトル２０の充填管２１と連接することができ、これにより保冷媒介１２を充填する。
【００１１】
上記各部品により本考案携帯式冷凍保存補充装置を構成する。本考案第二実施例の使用状態概略図である図４に示すように、実際の応用時には、使用者は定時に該携帯式保冷媒介充填ボトル２０の充填管２１を該保冷ボックス１０の充填口１３と該充填部品１４中に連接するだけで良く、これにより該保冷空間１１内部には新しい保冷媒介１２が補充される。こうして該保冷ボックス１０の保冷時間は延長され、携帯する食料、飲料、或いは他の用品の新鮮さは保持され、また保冷効果を達成することができる。
【図面の簡単な説明】
【００１２】
【図１】本考案第一実施例の立体概略図である。
【図２】本考案第一実施例の使用状態概略図である。
【図３】本考案第二実施例の立体概略図である。
【図４】本考案第二実施例の使用状態概略図である。
【符号の説明】
【００１３】
１０  保冷ボックス
１１  保冷空間
１２  保冷媒介
１３  充填口
１４  充填部品
２０  携帯式保冷媒介充填ボトル
２１  充填管
２２  温度制御器
【図１】
0003133318.tif 000003
【図２】
0003133318.tif 000004
【図３】
0003133318.tif 000005
【図４】
0003133318.tif 000006